(57)【特許請求の範囲】
【請求項１】
プラントにて溶解不純物または懸濁コロイド不純物を含む処理水を処理する方法であって、
前記処理水と、水よりも重い少なくとも一種類の不溶性粒状材料から構成された少なくとも一種のバラストと、フロックを生成可能にするための少なくとも一種類の凝集剤とを一緒にフロキュレーション区域内に投入し、かつ前記フロキュレーション区域内で接触させるステップと、
前記投入するステップにより生成した前記処理水およびフロックの混合物を沈降区域に導くステップと、
前記沈降区域の上部にて処理された前記処理水を、前記フロックの沈降によって得られたスラッジおよびバラストの混合物から分離するステップと、
前記沈降区域の下部にて前記スラッジおよびバラストの混合物を抽出して、前記抽出した混合物を攪拌式中間混合区域に送るステップと、
前記攪拌式中間混合区域における前記スラッジおよびバラストの混合物を抽出して、前記抽出した混合物に液体サイクロン分離によるスラッジ／バラスト分離の処置を施すステップと、
前記液体サイクロン分離処置におけるアンダーフローを前記フロキュレーション区域に再循環するステップと、
前記液体サイクロン分離処置におけるオーバーフローからのスラッジの一部を前記攪拌式中間混合区域に再循環し、前記オーバーフローからのスラッジの他部を排出するステップと
を含む方法において、
前記処理水が前記フロキュレーション区域に入る前または入る際に、前記処理水内の溶解不純物または懸濁コロイド不純物の濃度を表す少なくとも１つのパラメータを連続的に測定するステップと、
前記測定するステップにより得られた測定結果を用いて、所定の品質の水を得るために投入する必要のあるバラストの量を連続的に計算するステップと
を含む方法。
【請求項２】
前記沈降区域から抽出された混合物内、または前記フロキュレーション区域の混合物内におけるバラストの濃度を連続的に測定するステップと、
計算機を用いて、前記沈降区域から抽出された混合物の濃度の連続的な測定から、前記プラントに実際に存在するバラストの濃度を計算するステップと、
前記プラントに実際に存在するバラストの前記濃度が所定の閾値よりも低い場合に、前記フロキュレーション区域にバラストを補充するステップと
を含む請求項１に記載の方法。
【請求項３】
前記プラントに実際に存在するバラストの量が所定の閾値よりも低い場合に、前記フロキュレーション区域にバラストを補充する前記ステップが自動的に行われる、請求項２に記載の方法。
【請求項４】
前記所定の品質を有する水を得るために前記フロキュレーション区域内に定量供給される必要のある前記凝集剤の量を、計算機を用いて計算することに、前記処理水内の溶解不純物または懸濁コロイド不純物の濃度を表す前記少なくとも１つのパラメータの前記測定結果を用いるステップと、
前記計算された凝集剤の量に基づいて前記凝集剤を前記フロキュレーション区域内に追加するステップと
をさらに含む請求項１〜３のいずれか一項に記載の方法。
【請求項５】
前記処理水が前記フロキュレーション区域に入る前に、少なくとも一種類の凝結剤を、前記処理水内に連続的に注入する予備ステップをさらに含む請求項１〜４のいずれか一項に記載の方法。
【請求項６】
前記予備ステップが、前記処理水のｐＨを調節するための少なくとも一種類の反応剤を、前記処理水内に連続的に注入することをさらに含む、請求項５に記載の方法。
【請求項７】
前記処理水内の溶解不純物または懸濁コロイド不純物の濃度を表す前記パラメータは、前記処理水内のＳＳの濃度（Ｘ）であり、前記ＳＳの濃度が、以下のパラメータ、
前記処理水内の懸濁物の濃度と、
前記処理水内の有機物の濃度と、
前記処理水内の微生物の濃度と、
前記処理水内の微量汚染物質の濃度と、
凝結剤の量と、
前記処理水のｐＨを調節するための反応剤の量と
の全てを考慮して計算される、請求項１〜６のいずれか一項に記載の方法。
【請求項８】
前記所定の品質の水を得るために前記フロキュレーションタンクにて懸濁する必要のあるバラストの量は、式（Ｉ）、
Ｙ＝ａＸｂ＋ｃ
（ａ＝０．４〜１、ｂ＝０．３〜１、ｃ＝０〜２とする）
によって計算される前記ＳＳの濃度（Ｘ）に必要なバラストの濃度（Ｙ）と、
前記プラント全体における前記処理水の体積と
によって決定される、請求項７に記載の方法。
【請求項９】
所定の品質の水を得るために投入される必要のあるバラストの前記濃度に従って、前記フロキュレーション区域に定量供給される前記凝集剤の量を連続的に調節するステップをさらに含む請求項８に記載の方法。
【請求項１０】
前記スラッジおよびバラストの混合物を前記沈降区域の下部から抽出して、前記抽出した混合物を前記攪拌式中間混合区域に送る前記ステップは、少なくとも１つのエンドレススクリューを用いて行われる、請求項１〜９のいずれか一項に記載の方法に記載の方法。
【請求項１１】
前記攪拌式中間混合区域におけるスラッジおよびバラストの所定のレベルを維持するために、前記液体サイクロン分離処置における前記オーバーフローから前記攪拌式中間混合区域に再循環されるスラッジの流量を調節するステップをさらに含む請求項１〜１０のいずれか一項に記載の方法。
【請求項１２】
オーバーフローパイプを有するタンクに、前記液体サイクロン分離処置におけるオーバーフローからのスラッジを蓄え、前記攪拌式中間混合区域におけるスラッジおよびバラストの混合物のレベルを測定して、前記測定値が所定の閾値よりも低い場合に、前記タンクに蓄えられた少なくとも一部のスラッジを前記攪拌式中間混合区域に放出するステップをさらに含む請求項１１に記載の方法。
【請求項１３】
前記沈降区域からの前記スラッジおよびバラストの混合物を液体サイクロン分離する前記処置は、追加の水を前記スラッジに対して接線方向に注入することによって行われる、請求項１〜１２のいずれか一項に記載の方法。
【請求項１４】
前記追加の水は、前記液体サイクロン分離処置にて導入される前記スラッジおよびバラストの混合物における体積の５体積％〜１００体積％に対応する量だけ注入される、請求項１３に記載の方法。
【請求項１５】
前記追加の水は、前記液体サイクロン分離処置にて導入される前記スラッジおよびバラストの混合物における体積の５体積％〜２０体積％に対応する量だけ注入される、請求項１４に記載の方法。
【請求項１６】
前記処理水と、水よりも重い少なくとも一種類の不溶性粒状材料から構成された少なくとも一種類のバラストと、フロックを生成可能にするための少なくとも一種類の凝集剤とを前記フロキュレーション区域内に投入し、かつ前記フロキュレーション区域内で接触させる前記ステップは、
前記処理水と前記バラストと前記凝集剤との混合物における軸方向乱流を攪拌により前記流れ案内構造の軸方向に生じさせるように構成された内部区域を、完全に水中に沈んだ流れ案内構造によって、前記フロキュレーション区域に画成するステップと、
流体分配装置によって、前記凝集剤を前記軸方向乱流に注入するステップと、
前記流れの回転と向き合って、前記流れ案内構造の出口に配置された静止式装置によって、前記流れを分配するステップと、
前記混合物が、前記流れ案内構造を囲む周辺区域を、前記内部区域の前記入口まで反対方向に循環することを可能にする、ステップと、
前記混合物を前記沈降区域に移動させるステップと
を含む、請求項１〜１５のいずれか一項に記載の方法。
【請求項１７】
前記流れを分配させる静止式装置によって、前記流れ案内構造を出た前記流れを軸方向の流れに変換するステップをさらに含む請求項１６に記載の方法。
【請求項１８】
前記流れを分配させる静止式装置によって、前記流れ案内構造を出た前記流れを軸方向の流れに変換する前記ステップは、前記流れ案内構造の内部にて行われる、請求項１７に記載の方法。
【請求項１９】
前記バラストが微粒砂となっている、請求項１〜１８のいずれか一項に記載の方法。
【請求項２０】
吸着特性を有する材料またはイオン交換特性を有する粒状材料が、前記材料と前記処理水との十分な接触時間を得るために、前記フロキュレーション区域または前記フロキュレーションの上流に導かれる、請求項１〜１９のいずれか一項に記載の方法。
【請求項２１】
前記イオン交換特性を有する材料が樹脂となっている、請求項２０に記載の方法。
【請求項２２】
前記吸着特性を有する材料が活性炭素粉となっている、請求項２０に記載の方法。
【請求項２３】
前記吸着特性を有する材料または前記イオン交換特性を有する粒状材料が、前記バラストを構成している、請求項２０または２１に記載の方法。
【請求項２４】
前記吸着特性を有する材料または前記イオン交換特性を有する粒状材料が、第２のバラストを構成している、請求項２０または２１に記載の方法。
【請求項２５】
前記沈降区域における前記フロックの沈降が層状沈降となっている、請求項１〜２４のいずれか一項に記載の方法。
【請求項２６】
請求項１〜２５のいずれか一項に記載の方法を実施するプラントであって、
少なくとも１つの攪拌器（２）を有する少なくとも１つのフロキュレーションタンク（１）と、
前記処理水を前記フロキュレーションタンク（１）に供給するパイプライン（５）と、
自らの上部に処理水の排出口（１５）を有する沈降タンク（１１）と、
前記フロキュレーションタンク（１）および前記沈降タンク（１１）間を接続する水中放水路（１６）と、
前記フロキュレーションタンク（１）に前記凝集剤を供給する前記凝集剤供給手段と、
少なくとも１つの攪拌器（２０）を有する中間タンク（１９）に、前記沈降タンクの下部を接続するパイプライン（２１）と、
前記中間タンク（１９）を液体サイクロン（２６）に接続するパイプライン（２５）と、
前記液体サイクロン（２６）のオーバーフローの一部を前記中間タンク（１９）に再循環するパイプライン（３０）と
を備えているプラントにおいて、
プラントに入る前記処理水内の溶解不純物または懸濁コロイド不純物の濃度を表す少なくとも１つのパラメータを連続的に測定するように構成される少なくとも１つの第１のセンサ（４０，４０ａ）と、
前記第１のセンサによって検出された測定値から、所定の品質の処理水を得るために投入する必要のあるバラストの量を連続的に計算可能とする計算機（４２）と
を備え、
前記液体サイクロン（２６）におけるオーバーフローのスラッジの他部が排出され、
前記液体サイクロン（２６）におけるアンダーフローが前記フロキュレーションタンクに再循環される構成となっている、プラント。
【請求項２７】
前記パイプライン（２５）の高さにて、前記フロキュレーションタンクに設けられるか、前記中間タンクに設けられるか、または前記中間タンクを前記液体サイクロンに接続する少なくとも１つの第２のセンサ（４１）であって、前記フロキュレーションタンクと前記中間タンクと前記パイプラインとのうちの１つを通る前記混合物内におけるバラスト濃度を連続的に測定可能とする少なくとも１つの第２のセンサ（４１）をさらに備え、
前記計算機（４２）が、前記第２のセンサ（４１）によって検出された前記測定値から、前記プラントに実際に存在するバラストの量を連続的に計算可能に構成されている、請求項２６に記載のプラント。
【請求項２８】
自動的にバラストを補充する装置（９）をさらに備えている請求項２６または２７に記載のプラント。
【請求項２９】
前記計算機（４２）が、前記第１のセンサ（４０，４０ａ）によって検出された測定値から、前記所定の品質の水を得るために投入する必要のある凝集剤の量を連続的に計算するように構成されている、請求項２８に記載のプラント。
【請求項３０】
前記凝集剤供給手段が、前記計算機に接続された自動凝集剤ディスペンサー（１０）となっている、請求項２９に記載のプラント。
【請求項３１】
前記第１のセンサ（４０，４０ａ）が、水内における懸濁物の濃度および／または原水内における有機物の濃度を測定するセンサとなっている、請求項２６〜３０のいずれか一項に記載のプラント。
【請求項３２】
前記プラントによって処理された水の品質を連続的に測定するように構成された少なくとも１つのセンサ（４４）をさらに備えている請求項２６〜３１のいずれか一項に記載のプラント。
【請求項３３】
水を前記フロキュレーションタンク（１）に供給する前記パイプライン（５）が、前記処理水を凝結剤と混合する静止式混合器（８）を備えている、請求項２６〜３２のいずれか一項に記載のプラント。
【請求項３４】
前記処理水を前記沈降タンクから排出する前記排出口（１５）が、少なくとも１つの堰または孔付きチューブを備えている、請求項２６〜３３のいずれか一項に記載のプラント。
【請求項３５】
前記沈降タンク（１１）は、該沈降タンク（１１）の入口に、サイフォン状仕切り板（１８）を備えている、請求項２６〜３４のいずれか一項に記載のプラント。
【請求項３６】
前記沈降タンク（１１）は、該沈降タンク（１１）の入口に、分配用構造（１７）を備え、
前記分配用構造（１７）が、前記フロキュレーションタンク（１）および前記沈降タンク（１１）の間に設けられた水中放水路（１６）の両側に配置され、かつ互いに平行に構成される少なくとも２つの第１の横断板（１７ａ）と、前記水中放水路（１６）を覆って前記板（１７ａ）間に互いに平行に配置された複数の第２の横断板（１７ｂ）とを備え、
前記複数の第２の横断板（１７ｂ）が、前記少なくとも２つの第１の横断板（１７ａ）とともに、前記フロキュレーションタンク（１）と前記沈降タンク（１１）との間に、前記第２の横断板（１７ｂ）の枚数と同じ数の流れ通路を構成している、請求項２６〜３５のいずれか一項に記載のプラント。
【請求項３７】
前記沈降タンクの下部を前記中間タンクに接続する前記パイプライン（２１）が、エンドレススクリュー（２２）を備えている、請求項２６〜３６のいずれか一項に記載のプラント。
【請求項３８】
オーバーフローパイプ（３２）を有するタンク（３１）をさらに備え、
前記液体サイクロン（２６）のオーバーフローの一部を前記中間タンク（１９）に再循環するように構成された前記パイプライン（３０）に、前記タンク（３１）が設けられている、請求項２６〜３７のいずれか一項に記載のプラント。
【請求項３９】
前記液体サイクロン（２６）におけるオーバーフローからのスラッジの一部を前記中間タンク（１９）に再循環するように構成された前記パイプライン（３０）に設けられた弁（３４）をさらに備え、
前記弁（３４）が前記タンク（３１）の下流に設けられている、請求項３８に記載のプラント。
【請求項４０】
前記中間タンク（１９）における前記スラッジおよびバラストの混合物のレベルを検出するセンサ（４３）をさらに備えている、請求項３８または３９に記載のプラント。
【請求項４１】
前記液体サイクロン（２６）が、処理される前記スラッジおよびバラストの混合物を供給する少なくとも１つの接線供給部を備える円筒部（５０）と、円錐部（５２）と、前記円錐部の出口に設けられ、かつ前記追加の液体を供給する接線供給部（５４）を有する付加的な液体の注入チャンバ（５３）とを備えている、請求項２６〜４０のいずれか一項に記載のプラント。
【請求項４２】
イオン交換特性を有する粒状材料または吸着特性を有する材料を前記フロキュレーションタンクに定量供給する少なくとも１つのディスペンサー（９ａ）をさらに備えている、請求項２６〜４１のいずれか一項に記載のプラント。
【請求項４３】
前記沈降タンク（１１）が層状沈降タンクとなっている、請求項２６〜４２のいずれか一項に記載のプラント。
【請求項４４】
前記層状沈降タンク（１１）が垂直方向薄板（１３）を備えている、請求項４３に記載のプラント。
【請求項４５】
前記フロキュレーションタンク（１）が、自らの両端に開口を有し、前記タンク（１）の基部から離れて配置され、かつ前記攪拌器（２）を有する中央区域（１ａ）および周辺区域（１ｂ）を画成する流れ案内構造と、前記流れ案内構造から出た前記流れを分配する静止式装置（４，４ａ）とを備えている、請求項２６〜４４のいずれか一項に記載のプラント。
【請求項４６】
前記流れ案内構造が、前記フロキュレーションタンク（１）の基部から垂直方向に離れて配置された円断面を有するチューブ（３）となっている、請求項４５に記載のプラント。
【請求項４７】
前記静止式装置（４ａ）が前記流れ案内構造の下部に設けられている、請求項４５または４６に記載のプラント。
【請求項４８】
前記流れ案内チューブ（３）に含まれる前記流れを分配する静止式装置（４ａ）が、少なくとも２つの区画を画成し、
前記静止式装置（４ａ）が、高さＨとするように垂直方向に延びる少なくとも１つの板を有し、前記少なくとも２つの区画が前記少なくとも１つの板によって仕切られている、請求項４６または４７に記載のプラント。
【請求項４９】
前記静止式装置（４ａ）が、前記攪拌器の下方から少なくとも２００ｍｍ離れて設けられている、請求項４８に記載のプラント。
【請求項５０】
前記少なくとも１つの板によって形成された前記区画が、互いにほぼ等しく形成された表面を有し、前記区画の各々における理論上の幅Ｂが、前記少なくとも１つの板の高さＨと前記理論上の幅Ｂとの比率Ｈ／Ｂが、１以上かつ２以下となるように選ばれている、請求項４８または４９に記載のプラント。
【請求項５１】
前記比率Ｈ／Ｂが１．５になっている、請求項５０に記載のプラント。
【請求項５２】
前記静止式装置（４ａ）が、前記攪拌器の下方から少なくとも２００ｍｍ離れて設けられている、請求項４７に記載のプラント。
【発明の詳細な説明】
【技術分野】
【０００１】
本発明は、水処理の分野に関するものである。
【背景技術】
【０００２】
水処理、主に、水の飲料化、および汚濁除去する必要のある都市廃水または工業廃水の処理は、多くは三価の金属塩から構成される凝結剤によって、処理する不純物を含む水を凝結させ、一般的に有機ポリマーから構成される凝集剤（フロキュレーション処理剤）によって、凝結した水を凝集させ、生成したフロック（floc）を沈降タンクに沈降させ、次いで、スラッジ（sludge）を沈降タンクの下部から部分的に抽出し、処理水を沈降タンクの上部から抽出する方法をよく用いている。
【０００３】
このような技術によって、処理水から、特に、有機物と微量汚染物質と微生物とから構成される溶解不純物または懸濁コロイド状不純物を除去できる。
【０００４】
本発明は、さらに詳細には、「バラスト混入フロックによるフロキュレーション−沈降」と呼ばれる技術に関連している。この技術は、例えば、微粒砂のような微細な高密度の粒状材料から構成されたバラストをフロキュレーション区域に注入し、凝集開始剤として機能させることによって、フロック生成の速度を増加させ、またフロキュレーション行程中に生成したフロックの密度を大きくすることによって、そのフロックの沈降速度を増加させることとなり、これによって、構造体を小型化可能にするものである。
【０００５】
実際には、凝結した水は、ポリマーのような凝集剤およびバラストと接触するように、反応器内に供給され、攪拌手段によって、これらの凝集剤およびバラストと密に混合されることとなる。水が凝集剤およびバラストと接触する時間は、凝集剤によってバラストの周囲に凝集した不純物から構成されるフロックの生成およびそのフロックの大きさの拡大を可能にするために、十分なものでなければならない。
【０００６】
入手可能性およびコストの理由から、約２０μｍ〜約４００μｍ、通常、８０μｍ〜３００μｍの平均直径を有する微細砂が、最も頻繁に利用されるバラストである。
【０００７】
バラスト混入フロキュレーション−沈降技術は、特に、以下の特許文献：
−１９８９年９月１日に公開された仏国特許出願公開第２６２７７０４号明細書（特許文献１）、および
−１９９５年１１月３日に公開された仏国特許出願公開第２７１９２３４号明細書（特許文献２）
に記載されている。
【０００８】
これらの技術では、バラストは、再循環手段によってプロセス内に再循環されることを可能にするために、一般的に、沈降機構から抽出されたスラッジから分離される構成となっている。
【０００９】
再循環中、バラストのわずかな部分がスラッジに付随して流出することとなる。そのため、バラストの損失を補うことを目的として、新しいバラストを周期的に注入する必要がある。
【００１０】
この新しいバラストの消費量を最小限に抑えるために、スラッジによってバラストの損失を制御することが重要となる。なお、過剰な再循環によって、抽出されるスラッジの品質が劣化する場合がある。すなわち、過剰な再循環によって過剰に希釈された抽出スラッジが生じ、これよって、「水損失（water losses）」を招くことがある。
【００１１】
これらの損失を最小限に抑えるために、前記バラストをプロセス内に再循環させるために行なわれるスラッジからのバラストの分離は、一般的に、スラッジ／バラスト混合物の液体サイクロン分離によって行われている。
【００１２】
しかしながら、アンダーフロー内における固形分が所定値（多くの場合、約４０体積％の固形分）を超えると、液体サイクロンの機能不良の可能性が急激に大きくなる。
【００１３】
最終的には、液体サイクロンのアンダーフローが詰まって、バラストがオーバフローに流出するときに、著しいバラスト損失が生じることになる。
【００１４】
これらの問題を解消する試みとして、先行技術、すなわち、２００３年７月３日に公開された国際出願公開第０３０５３８６２号パンフレット（特許文献３）は、スラッジおよびバラストの混合物をポンプによって沈降タンクの下部から抽出し、抽出した混合物を攪拌式中間混合区域に送り、前記中間混合区域内のスラッジとバラストとの混合物を抽出し、抽出した混合物に液体サイクロン分離によってスラッジ／バラスト分離の処置を施し、スラッジの一部をその流量を調節しながら再循環させる方法を示唆している。
【００１５】
しかしながら、最も汚れの少ないバラストをフロキュレーション区域に再循環可能にする条件下では、バラストとスラッジとを分離する行程を実施することが望まれる場合、この技術を実施することによって、処理水の品質が急激に劣化することになる。実際に、追加の固形物を流入させることは、処理水の品質を汚染させる傾向にある。
【００１６】
いずれにしても、特許文献１および特許文献２に記載されている方法のみならず、特許文献３に記載されているこの方法も、被処理水から凝縮されるべき材料の負荷に応じて投入されるバラストの量を最適化することができない。このバラストの最適化は、
−フロックを生成するために必要なエネルギーおよびスラッジの再循環に必要なエネルギーを著しく増加させることなく、
−除去されるべき不純物の凝縮（フロキュレーション）を行い、
−バラスト損失を最小限に抑え、
−水損失を減少させ、かつ
−高品質の処理水を得る
ことを同時に可能とするものである。
【先行技術文献】
【特許文献】
【００１７】
【特許文献１】仏国特許出願公開第２６２７７０４号明細書
【特許文献２】仏国特許出願公開第２７１９２３４号明細書
【特許文献３】国際出願公開第０３０５３８６２号パンフレット
【発明の概要】
【発明が解決しようとする課題】
【００１８】
本発明の目的は、このような最適化を提案または達成可能にする技術を提供することにある。
【課題を解決するための手段】
【００１９】
本発明の目的は、
プラントにて溶解不純物または懸濁コロイド不純物を含む水を処理する方法であって、
−前記水と、水よりも重い少なくとも一種の不溶性粒状材料から構成された少なくとも一種のバラストと、フロックの生成を可能にする少なくとも一種の凝集剤とをフロキュレーション区域にて接触させるステップと、
−このようにして生成した水およびフロックの混合物を沈降区域内に導くステップと、
−前記沈降区域の上部にて、処理された水を前記沈降区域の下部におけるスラッジおよびバラストの混合物から分離して、スラッジおよびバラストの混合物を攪拌式混合区域に送るステップと、
−前記中間混合区域内のスラッジおよびバラストの混合物を抽出して、抽出した混合物に液体サイクロン分離によるスラッジ／バラスト分離の処置を施すステップと、
−液体サイクロン分離処置におけるアンダーフローを前記フロキュレーション区域に再循環するステップと、
−液体サイクロン分離処置におけるオーバフローからスラッジの一部を抽出し、前記スラッジの他の一部を前記攪拌式中間混合区域内に再循環するステップと
を含む方法であって、
−水が前記フロキュレーション区域に入る前または入る際に、水内の不純物の濃度を表す少なくとも１つのパラメータを連続的に測定するステップと、
−このようにして得られた前記測定の結果を用いて、所定の品質の処理水を得るために投入する必要のあるブラストの量を連続的に推測するステップと
を含む方法に関連する本発明によって、達成されることになる。
【００２０】
このような方法によって、あらゆる時点で、バラスト損失を最小限に抑えながら、汚染物質の負荷に応じて必要とされるバラストの量を知ることができ、これによって、汚染物質の総負荷を凝集させることができる。
【００２１】
本発明による方法は、好ましくは、
−前記沈降区域から抽出された混合物内または前記フロキュレーション区域における混合物内におけるバラストの濃度を連続的に測定するステップと、
−前記沈降区域から抽出された混合物の濃度の連続的な測定から、前記プラント内に実際に存在するバラストの濃度を推測するステップと、
−前記プラント内に実際に存在するバラストの前記濃度が所定の閾値よりも低い場合に、フロキュレーション区域にバラストを補充するステップと
を含んでいる。
【００２２】
有利な代替例によれば、前記プラントに実際に存在するバラストの前記濃度が所定の閾値よりも低い場合に、前記フロキュレーション区域にバラストを補充する前記ステップが自動的に行われる。
【００２３】
本方法は、有利には、前記所定の品質を有する処理水を得るためにフロキュレーション区域内に定量供給される必要のある前記凝集剤の量を推測することにも、水内の不純物の濃度を表す前記少なくとも１つのパラメータの前記測定の結果を用いるステップも含んでいる。
【００２４】
代替例によれば、本方法は、前記水がフロキュレーション区域に入る前に、所定量の少なくとも一種類の凝結剤と、場合によっては、所定量のｐＨを調節するように構成される少なくとも一種類の反応剤とを、前記水内に連続的に注入する予備ステップも含んでいる。凝集剤およびｐＨを調節する反応剤を注入するこのステップは、一般的に、非常に多くの場合に必要とされる。しかしながら、このステップが絶対的に不可欠とされない場合もある。特に、被処理水が殆ど有機物を含んでいない場合、このステップは、必ずしも必要とされない。
【００２５】
この提案されている方法を実施するために用いられる水内の不純物の濃度を表す前記パラメータは、好ましくは、水内のいわゆる「全ＳＳ（Suspended Solid、浮遊物質）」の濃度（Ｘ）である。このいわゆる「全ＳＳ」濃度は、以下のパラメータ、
−前記水内の懸濁物の濃度と、
−前記水内の有機物の濃度と、
−原水内の微生物の濃度と、
−原水内の微量汚染物質の濃度と、
−凝結剤の前記所定量と、
−ｐＨを調節するように意図されている反応剤の前記所定量と
の全てまたは一部を考慮して、計算される。
【００２６】
開示されている方法の代替例によれば、前記所定の品質の処理水を得るためにフロキュレーションタンク内に懸濁される必要のあるバラストの量は、式（Ｉ）：Ｙ＝ａＸｂ＋ｃ（ａ＝０．４〜１、ｂ＝０．３〜１、ｃ＝０〜２）によって計算される前記いわゆる「全ＳＳ」濃度Ｘに必要なバラストの濃度Ｙと、前記プラントにおける水の近似的な体積とに基づいて、決定される。
【００２７】
提案されている方法は、好ましくは、所定の品質の処理水を得るために投入される必要のあるバラストの前記濃度に従って、前記フロキュレーション区域内に定量供給される前記凝集剤の量を連続的に調節するステップも含んでいる。
【００２８】
スラッジおよびバラストの混合物を前記沈降区域の下部から抽出し、抽出した混合物を中間混合区域に送る前記ステップは、好ましくは、少なくとも１つのエンドレススクリューを用いて行われる。このようなエンドレススクリューによって、沈降タンクの下部からのスラッジおよびバラストの混合物を中間区域により一層規則的に送ることができる。ポンプを備える単純なパイプラインを用いる場合、混合物をこのように規則的に送ることはできない。
【００２９】
有利な代替例によれば、本方法は、前記中間混合区域内のスラッジおよびバラストの所定のレベル（level）を維持するために、液体サイクロン分離処置におけるオーバフローから前記中間混合区域に再循環されるスラッジの流量を調節するステップも含んでいる。
【００３０】
このような場合、本方法は、好ましくは、液体サイクロン分離処置におけるオーバフローからのスラッジをオーバフローパイプを有するタンク内に蓄え、中間混合区域内のスラッジとバラストとの混合物のレベルを測定し、測定値が所定の閾値よりも低い場合に、前記タンクに蓄えられた少なくとも一部のスラッジを前記中間混合区域内に放出するステップも含んでいる。
【００３１】
開示されている技術の好ましい態様によれば、前記沈降区域からのスラッジおよびバラストの混合物を液体サイクロン分離する前記処置は、追加の液体を前記スラッジに対して接線方向に（tangentially）注入することによって、行われる。
【００３２】
前記追加の液体は、液体サイクロン分離処置にて導入されるスラッジおよびバラストの混合物における体積の５体積％〜１００体積％、典型的には、５体積％〜２０体積％に対応する量だけ注入される。
【００３３】
このような追加の液体を用いることによって、液体サイクロンに入る際に、実質的に不純物によって覆われていない汚れの少ないバラストを、液体サイクロンのアンダーフロー内にて得ることができる。
【００３４】
記載されている方法の代替例によれば、前記水と、水よりも重い少なくとも一種の不溶性粒状材料から構成された少なくとも一種のバラストと、フロックの生成を可能にするための少なくとも一種の凝集剤とをフロキュレーション区域にて接触させる前記ステップは、
−被処理水とバラストと凝集剤との混合物の軸方向の乱流を攪拌によって前記流れ案内構造の軸方向に生じさせる内部区域を、完全に水中に沈む流れ案内構造によって、フロキュレーション区域内に画成するステップと、
−流体分配装置によって、前記凝集剤を前記軸方向の乱流に注入するステップと、
−前記流れの回転と向き合って、前記流れ案内構造の出口に配置された静止式装置によって、前記流れを分配するステップと、
−前記混合物が、前記流れ案内構造を囲む周辺区域を、前記内部区域の入口まで反対方向に循環することを可能するステップと、
−前記混合物を前記沈降区域に移動させるステップと
を含む。
【００３５】
流れ案内構造によって画成された内部区域に設けられた攪拌手段を用いることによって、バラストを凝集剤および懸濁物と密に混合することができ、これによって、周辺区域において良好なフロックを生成することができる。凝集区域を内部区域と周辺区域とに仕切ることによって、攪拌手段によるこのフロックの機械的な崩壊を防ぐことができる。すなわち、フロックは、流れ案内構造によって保護されることになる。
【００３６】
この方法は、好ましくは、流れを分配する静止式装置によって、前記流れ案内構造を出た流れを軸方向の流れに変換するステップを含んでいる。この装置は、流れ案内構造から離れて、例えば、フロキュレーション区域の基部に取り付けられてもよい。しかしながら、この流れを分配する静止式装置は、好ましくは、流れ案内構造そのものの内側に設けられているとよい。
【００３７】
記載されている方法は、前記フロキュレーション区域における被処理水と、凝縮剤と、バラストとの接触時間を１分〜数分にすることができる。
【００３８】
前記バラストは、好ましくは、約２０μｍ〜約４００μｍの平均直径を有する微細砂であるとよい。
【００３９】
本方法の代替例によれば、活性炭のような吸収特性を有する粒状材料、または樹脂のようなイオン交換または分子交換特性を有する粒状材料が、前記材料と被処理水との十分な接触時間を得るために、フロキュレーション区域またはフロキュレーション区域の下流に導かれる。
【００４０】
適切であれば、この材料によって、前記バラストまたは第２のバラストが構成されてもよい。
【００４１】
本方法の沈降ステップは、好ましくは、層状沈降ステップである。
【００４２】
本発明は、
このような方法を実施するプラントであって、
−少なくとも１つの攪拌器を有する少なくとも１つのフロキュレーションタンクと、
−被処理水を前記フロキュレーションタンクに供給するパイプラインと、
−沈降タンクであって、その下部に処理水の排出口を有する沈降タンクと、
−沈降タンクの下部を少なくとも１つの攪拌器を有する中間タンクに接続するパイプラインと、
−前記中間タンクを液体サイクロンに接続するパイプラインと、
−液体サイクロンのオーバフローの一部を前記中間タンクに再循環するパイプラインと、
を備えているプラントであって、
前記プラントに入る水内の不純物の濃度を表す少なくとも１つのパラメータを連続的に測定するように構成される少なくとも１つの第１のセンサと、
前記第１のセンサによって検出された測定値から、所定の品質の処理水を得るために投入する必要のあるバラストの量を連続的に推測可能にする計算器と
をさらに備えているプラントに関連している。
【００４３】
このようなプラントは、好ましくは、前記フロキュレーションタンクに設けられるか、前記中間タンクに設けられるか、または前記中間タンクを前記液体サイクロンに接続する前記パイプラインのレベルに設けられるかして、前記フロキュレーションと前記中間タンクと前記パイプラインとのうちの１つを通る混合物内におけるバラスト濃度を連続的に測定可能な少なくとも１つの第２のセンサを備え、前記計算機が、前記第２のセンサによって検出された測定値から、前記プラントに実際に存在するバラストの量を連続的に推測できるように構成されている。
【００４４】
このようなプラントは、有利には、自動バラスト補充装置を備えている。
【００４５】
前記計算機は、好ましくは、前記第１のセンサによって検出された測定値から、前記所定の品質の処理水を得るために投入する必要のある凝集剤の量を連続的に推測するように、構成されている。
【００４６】
代替例によれば、本プラントは、前記計算機に接続された自動凝集剤ディスペンサーも備えている。
【００４７】
前記第１のセンサは、好ましくは、原水内の懸濁物の濃度および／または原水内の有機物の濃度、例えば、前記水内の全有機炭素の濃度を測定するセンサである。
【００４８】
代替例によれば、本プラントは、前記プラントによって処理された水の品質を連続的に測定するように構成される少なくとも１つのセンサを備えている。他の代替例では、この測定は、時々しか行われなくてもよいし、場合によっては、手動によって行われてもよい。
【００４９】
水を前記フロキュレーションタンクに供給する前記パイプラインは、好ましくは、被処理水を凝結剤と混合する静止式混合器を備えている。
【００５０】
処理水を前記沈降タンクから排出する前記排出口は、有利には、少なくとも１つの越流路または孔付きチューブを備えている。
【００５１】
前記沈降タンクは、好ましくは、該沈降タンクの入口にサイフォン状仕切り板を備えている。
【００５２】
また、好ましくは、前記沈降タンクは、該沈降タンクの入口に分配用構造を備えている。この分配用構造は、有利には、フロキュレーションタンクおよび沈降タンクの間に設けられ、かつ水中越流路の両側に配置された互いに平行の少なくとも２つの第１の横断板と、前記越流路を覆ってこれらの第１の横断板間に互いに平行に配置された複数の第２の横断板とを備え、前記複数の第２の横断板が、前記少なくとも２つの第１の横断板とともに、フロキュレーションタンクおよび沈降タンクの間に、前記第２の横断板の枚数と同じ数の流れ通路を構成している。
【００５３】
有利な代替例によれば、沈降タンクの下部を前記中間タンクに接続する前記パイプラインは、エンドレススクリューを備えている。
【００５４】
他の代替例によれば、本プラントは、オーバフローパイプを有するタンクを備え、前記タンクは、液体サイクロンのオーバフローの一部を前記中間タンクに再循環する前記パイプラインに設けられている。また、好ましくは、本プラントは、液体サイクロンのオーバフローの一部を前記中間タンクに再循環する前記パイプラインに設けられた弁を備え、前記弁は前記タンクの下流に設けられている。
【００５５】
また、好ましくは、本プラントは、前記中間タンクにおけるスラッジおよびバラストの混合物のレベルを検出するセンサを備えている。
【００５６】
代替例によれば、記載されているプラントに用いられる液体サイクロンは、処理されるスラッジおよびバラストの混合物を供給する少なくとも１つの接線供給部（tangentially supply）を有する円筒部と、円錐部と、円錐部の出口に設けられるとともに追加の液体を供給する接線供給部を有した追加の液体用注入チャンバとを備えている。
【００５７】
代替例によれば、提案されているプラントは、イオン交換または分子交換特性若しくは吸着特性を有する材料を、前記フロキュレーションタンクに定量供給する少なくとも１つのディスペンサーを備えている。
【００５８】
前記沈降タンクは、好ましくは、層状沈降タンクであり、１つの代替例によれば、前記層状沈降タンクは、垂直方向薄板を備えている。
【００５９】
有利な特徴によれば、前記フロキュレーションタンクは、好ましくは、自らの両端に開口を有し、前記タンクの基部から離れて配置され、かつ前記攪拌器を有する中央区域および周辺区域を画成する流れ案内構造と、前記流れ案内構造から出た流れを分配する静止式装置とを備えている。この流れ案内構造は、好ましくは、前記フロキュレーションタンクの基部から垂直方向に離れて配置された円断面を有するチューブとなっている。
【００６０】
有利な代替例によれば、このような静止式装置は、流れ案内構造の下部内に、好ましくは、攪拌器から下方に少なくとも２００ｍｍ離れた位置で一体化されている。前記装置は、有利には、少なくとも２つの区画を画成し、かつ高さｈとする少なくとも１つの直径板（diametral plate、直径に沿って延びる板）によって構成されている。前記少なくとも１つの横断板によって形成された前記区画は、好ましくは、互いにほぼ等しく形成された表面を有し、各区画の理論上の幅Ｂは、前記少なくとも１つの横断板の高さＨと前記理論上の幅Ｂとの比率Ｈ／Ｂが、約１〜約２、典型的には、約１．５に等しくなるように選ばれている。
【００６１】
本発明および本発明が有する種々の利点は、図面を参照して述べる２つの好ましい実施形態の以下の詳細の説明から、より容易に理解されるであろう。
【図面の簡単な説明】
【００６２】
【図１】本発明によるプラントの第１の実施形態の略断面図である。
【図２】図１に示されるプラントの流れ案内チューブの出口に設けられた流れ分配装置の上斜視図である。
【図３】図１に示されているプラントのフロキュレーションタンクと沈降タンクとの間の水中越流路に設けられた分配用構造の下透過斜視図である。
【図４】このプラントの液体サイクロンの断面図である。
【図５】本発明によるプラントの第２の実施形態の略断面図である。
【図６】図５に示されるプラントの流れ案内チューブおよび該流れ案内チューブに一体化された流れ分配装置の断面図である。
【図７】前記流れ分配装置のＡ−Ａ’断面図である。
【図８】流れ分配装置の他の実施形態の断面図である。
【図９】流れ分配装置の他の実施形態の断面図である。
【発明を実施するための形態】
【００６３】
図１を参照すると、ここに記載されている実施形態は、機械的な攪拌器２を備えるフロキュレーションタンク１を有している。この機械的な攪拌器２は、回転可能に取り付けられた垂直軸を備えている。この垂直軸は、タンク内に入り込み、その端にブレードを備えている。
【００６４】
ここに記載されている好ましい実施形態におけるフロキュレーションタンク１は、本質的に平行四辺形の形状を有しているが、他の実施形態では、他の形状、特に、円形状を有していてもよい。
【００６５】
このフロキュレーションタンク１は、その中心部に、攪拌器２を受け入れた円筒状の流れ案内チューブ３によって構成される流れ案内構造を備えている。前記流れ案内チューブ３は、タンクの基部から離れて設けられ、流れ案内チューブ３の孔によって構成された中心内部区域１ａを内部に画成すると共に、前記流れ案内チューブ３の外壁とフロキュレーションタンク１の横壁１ｃとの間に周辺区域１ｂを画成している。
【００６６】
このフロキュレーションタンク１は、流れ案内チューブ３の出口に、その出口から離れて、タンクの底壁１ｄに取り付けられた静止式流れ分配装置４も備えている。
【００６７】
この静止式装置４は、図２に斜視図で示されている。図から分かるように、静止式装置４は、１つの交差部を形成するように連結された２つの板４ａ，４ｂによって構成されている。
【００６８】
他の実施形態では、この静止式装置は、流れ案内チューブの出口に、その出口から離れて設けられる代わりに、その出口に一体化されて、タンクの基部に取り付けられていてもよいことに留意されたい。
【００６９】
図１に記載されているプラントは、被処理水を上述したフロキュレーションタンクに供給するパイプライン５も備えている。前記パイプライン５は、前記タンクの下部に接合されている。
【００７０】
このパイプライン５は、凝結剤（例えば、塩化鉄）を注入する手段６（例えば、インジェクター６）と、ｐＨを調節可能な反応物（例えば、石灰）を注入する手段７（例えば、インジェクター７）と、フロキュレーションタンクの入口にて所定のｐＨを有する凝結水が得られるように、手段６，７によってパイプラインに運ばれた反応剤を原水と混合可能な静止式混合器８とを備えている。
【００７１】
図１に記載されているプラントは、バラストを構成する粒状材料（例えば、微細砂）をフロキュレーションタンク１内に定量供給する手段９（例えば、ディスペンサー９）と、凝集剤（フロキュレーション処理剤）（例えば、ポリマー）をこの同じフロキュレーションタンク内に定量供給する手段１０（例えば、ディスペンサー１０）とも備えている。
【００７２】
さらに具体的に、手段１０は、凝集剤を流れ案内チューブ３の内側に攪拌器２のブレードの下方の部分から定量供給できる。
【００７３】
このプラントは、フロキュレーションタンクの下流に設けられた層状沈降タンク１１も備えている。この好ましい実施形態の文脈では、プラントの小型化を促進するために、沈降タンクは、フロキュレーションタンクと共有された壁１ｃを有している。前記共有された壁は、分配用構造１７を有する水中越流路１６を備えている。沈降タンク１１は、サイフォン状仕切り１８を備えている。この仕切り１８は、前記水中越流路１６および前記分配用構造と共に、フロキュレーションタンク１および沈降タンク１１の間に通路１８ａを形成している。
【００７４】
この通路１８ａについて、図３を参照して、さらに詳細に説明する。
【００７５】
図３から分かるように、フロキュレーションタンク１および沈降タンク１１によって共有される壁１ｃは、その上部に水中越流路９を備えている。前記水中越流路９は、分配用構造１７を備えている。さらに具体的に、この構造は、水中越流路１６の両側に配置された２つの平行板（第１の横断板）１７ａ、および水中越流路１６を覆って他方の平行板１７ａ間に配置された複数の平行板（第２の横断板）１７ｂによって構成されている。これらの第２の横断板１７ｂは、第１の横断板１７ａとともに、フロキュレーションタンク１と凝結タンク１１との間に、横断板１７ｂの数と同数の流れ通路を構成することになる。これらの通路は、沈降タンク１１内に設けられたサイフォン状仕切りによって画成された通路１８ａと連通している。
【００７６】
図１を参照すると、プラントの沈降タンク１１は、その下部に、スラッジを掻き落とす回転装置１２を備え、その上部に、水平方向薄板１３を備えている。
【００７７】
先行技術には、バラスト混入フロックを用いた水処理プラントに用いられる層状沈降タンクにて、フロックの沈降を促進するために、薄板を傾斜させることを提案しているものがある。しかしながら、本発明者らは、垂直方向薄板が凝結タンク内に設けられているという特徴が、フロックの沈降に悪影響を与えることなく、これらの薄板の取扱いを容易にする利点を有することを見出している。しかしながら、他の実施形態では、沈降タンクが、傾斜した薄板を有していてもよいし、または薄板を有していなくてもよいことに留意されたい。
【００７８】
沈降タンク１１は、その下部（底部）に、沈降したスラッジの排出通路１４を有し、その上部に、処理水の排出口１５を有している。排出口１５は、この実施形態では、単純な越流路から構成されている。この越流路からの処理水は、パイプライン１５ａに取り出され、パイプライン１５ａには、処理水の品質に関連する２つ以上のパラメータの連続的な測定値、または周期的な測定値を検出できるセンサ４４が設けられている。本発明の他の実施形態では、処理水の品質に関連するこのような測定値が手動によって得られてもよいことに留意されたい。
【００７９】
さらに図１を参照すると、本発明によるプラントは、ブレードを取り付けた回転軸によって構成される攪拌器２０を有するいわゆる「中間タンク（intermediate tank）」も備えている。
【００８０】
この実施形態では、小型化の理由から、この中間タンク１９は、フロキュレーションタンク１に取り付けられている。しかしながら、この中間タンク１９の基部は、フロキュレーションタンク１よりも低いレベルに位置している。
【００８１】
図１に示されているプラントは、沈降タンク１１の通路１４を中間タンク１９の内側に接続するパイプライン２１も備えている。このパイプライン２１は、エンドレススクリュー２２を備え、このエンドレススクリュー２２の回転は、モータ２３によって制御される。
【００８２】
このプラントは、ポンプ２８を有するパイプライン２５も備えている。パイプライン２５は、中間タンク１９を液体サイクロン２６に接続するものである。液体サイクロン２６のアンダーフロー部２７は、フロキュレーションタンク１の上方に設けられている。
【００８３】
液体サイクロン２６のオーバフロー部２９は、中間タンク１９の上方に繋がっている再循環パイプライン３０に接続されている。タンク３１は、この再循環パイプライン３０に設けられるとともに、オーバフローパイプ３２と、このオーバフローパイプ用の排出パイプライン３３とを備えている。このタンク３１の下流に設けられたパイプライン３０の部分は、弁３４を備えている。
【００８４】
中間タンク１９は、タンク１９内におけるスラッジおよびバラストの混合物のレベルを検知するセンサ４３も備えている。このセンサ４３は、弁３４に接続されている。
【００８５】
この好ましい実施形態によれば、このプラントは、給水３５を液体サイクロンのアンダーフロー部２７に供給するパイプラインも備えている。このパイプラインは、凝集剤を供給する手段１０ａを備え、これによって、凝集剤およびバラストの混合物を最適化することが可能になる。この液体サイクロンは、図４の断面図にさらに詳細に示されている。
【００８６】
図４を参照すると、液体サイクロン２６は、円筒部５０を備えている。円筒部５０は、その上部に、被処理懸濁液の接線供給部を備えている。この接線供給部は、再循環パイプライン２５に接続されている。
【００８７】
液体サイクロン２６は、円筒部５０から延在する円錐部５２も備えている。円錐部５２は、円筒チャンバ５３と連通している。円筒チャンバ５３は、上述した給水パイプライン３５に連通する接線供給部５４を有している。円筒チャンバ５３は、液体サイクロンのアンダーフロー部２７と連通している。液体サイクロンのオーバフロー部２９は、円筒部５０の上部に設けられている。
【００８８】
図１を参照すると、記載されているプラントは、フロキュレーションタンク１に入る被処理原水の不純物の濃度を表すパラメータを連続的に測定するように構成されるセンサ４０，４０ａを備えている。これらの不純物は、異なる種類および／または異なる形態（懸濁物、コロイド物質、溶解物質、微生物、微量汚染物質など）であってもよい。測定されるパラメータは、例えば、原水内の懸濁物の濃度であってもよいし、ＴＯＣ（全有機炭素）、２５４ｎｍにおけるＵＶ吸収性、ＣＯＤ（化学的酸素要求量）、若しくは過マンガン酸塩（ＫｍｎＯ４）酸素消費量として測定される前記原水内の有機物の濃度であってもよいし、または（粒子状または溶解している）ＯＭ（有機物）を正確に評価できる他の測定値であってもよい。
【００８９】
以下にさらに詳細に説明するように、センサ４０，４０によって検出されたこれらのパラメータの測定値は、フロキュレーションタンク１に入る水のいわゆる「全ＳＳ」濃度を推測するために、用いられることになる。
【００９０】
図１に記載されている実施形態では、このセンサ４０は、被処理水をフロキュレーションタンク１に供給するパイプライン５に設けられた静止式混合器８の下流に設けられていることに留意されたい。従って、センサ４０による測定は、原水に対してなされることになる。しかし、他の実施形態では、凝結水の測定値を検出すること、従って、対応するセンサを水凝結手段の下流に配置することが考えられてもよい。
【００９１】
記載されているプラントは、中間タンク１９を液体サイクロン２６に接続するパイプライン２５のレベルで設けられたセンサ４１も備えている。このセンサ４１は、このパイプライン２５を通過するバラストおよびスラッジの混合物のバラスト濃度（この実施形態の文脈では、微細砂の濃度）を連続的に測定できる。このようなバラスト濃度は、中間タンク１９のバラスト濃度に対応し、フロキュレーションタンク１内における水とバラストとポリマーとの混合物のバラスト濃度に比例している。
【００９２】
他の実施形態では、このバラスト濃度センサは、中間タンク１９内またはフロキュレーションタンク１内のいずれに設けられてもよいことにも留意されたい。
【００９３】
このプラントは、センサ４０，４０ａ，４１によって検出された測定値を収集可能にする計算機４２も備えている。
【００９４】
図１〜図４を参照して上述したプラントの運転は、以下の通りである。
【００９５】
被処理原水がパイプライン５に到達する。この原水に、凝結剤（例えば、塩化鉄）およびｐＨを調節するように構成される反応剤（例えば、石灰）の所定量が、それぞれ、手段６，７によって注入され、次いで、静止式混合器８によって原水と混合され、これによって、フロキュレーションタンク１に達する水が、凝結され、選択された凝結剤の種類に応じて、最適なｐＨを有することになる。
【００９６】
フロキュレーションタンク１の下部に達した凝結水は、（フロキュレーションタンク１内の上方を指す矢印によって、図１に示されているように）、フロキュレーションタンク１の横壁１ｂと、流れ案内チューブ３の外壁によって画成された周辺区域１ｂ内とを上昇経路に沿って移動し、この後、前記流れ案内チューブ３内に上側開口内を通って進入し、（流れ案内チューブ３ｄ内の下方を指す矢印によって、図１に示されているように）、前記流れ案内チューブ３の孔によって画成された中心内部区域１ａ内を下方に移動することになる。
【００９７】
他の実施形態では、凝結水がフロキュレーションタンクの上部に達し、この流れが周辺区域内を下方に移動し、次いで、内部区域内を上方に移動する構成であってもよいことに留意されたい。
【００９８】
凝結水が流れ案内チューブ３内を下方に移動するとき、この凝結水の下降移動は、攪拌器２のブレードの作動による水平の半径方向成分を伴っている。
【００９９】
流れ案内チューブ３の下側出口から出ると、流れは、静止式流れ分配装置４に達することになる。この静止式流れ分布装置４は、その構成によって、流れ案内チューブ３からの流れの半径方向成分を著しく減衰できるとともに、この流れをフロキュレーションタンク１の周辺区域１ｂの全体に実質的に均一に分配できる。
【０１００】
定量供給手段９によって、以下に述べるように計算される量のバラストが、フロキュレーションタンク１の水内に定量供給されることになる。
【０１０１】
定量供給手段１０によって、以下に述べるように計算される量の凝集剤が、流れ案内チューブ３の内側の水に連続的に定量供給されることになる。
【０１０２】
流れ案内チューブ３および攪拌器２によって、前記ポリマーおよび微細砂と水との混合物が最適化されることになる。
【０１０３】
フロキュレーションタンク１では、水に含まれる不純物が凝集剤によってバラストの周囲に凝集し、フロック（綿毛状凝集物）が形成されることになる。この水とバラストおよび凝集剤との混合物を改良することによって、フロックの生成を最適化できる。
【０１０４】
センサ４０，４０ａによって、原水における懸濁物の含有量および有機物（ＯＭ）の濃度が、それぞれ連続的に測定される。
【０１０５】
対応する測定値が、計算機４２に送信され、この計算機４２は、凝結剤および使用されるｐＨを調節する反応剤におけるそれぞれの所定量と、原水における微細藻類の濃度とに関するこれらの測定データを組合せ、前記水に含まれている除去されるべき汚染物質の濃度を表す、フロキュレーションタンク１に入る凝結水内のいわゆる「全ＳＳ」の濃度を推測する。
【０１０６】
次いで、計算機４２は、
−パイプライン５を通ってプラントに達する被処理原水の流量と、
−フロキュレーションタンク１内に達する原水の前記いわゆる「全ＳＳ」濃度と、
−バラストを構成する粒状材料の粒子径と
に従って、手段９によってプラント内に投入される必要のある凝集剤の量を計算する。
【０１０７】
計算機４２は、所定の品質の処理水を得るためにプラント内に投入される必要のあるバラストの量を計算するものであり、前記バラストの量は、フロキュレーションタンク内の最少バラスト濃度に対応している。
【０１０８】
この実施形態の文脈では、前記バラスト濃度Ｙは、以下の式、
Ｙ＝０．４２０８×Ｘ０．３６６７
を用いて、計算機４２によって計算される。ここで、Ｘは、「全ＳＳ」濃度に対応している。
【０１０９】
他の実施形態では、このバラスト濃度を計算する他の方法が考えられてもよい。
【０１１０】
フロキュレーションタンク１を通過した後、水およびフロックによって形成された混合物は、水中越流路１６を通過し、沈降タンク１１に流入する。
【０１１１】
この通過中、前記混合物は、図３を参照して述べた分配用構造の板１７，１７ａによって画成された通路内を通過する。
【０１１２】
この分配用構造によって、前記通路の出口にて、水中越流路１６の長さ全体にわたって良好に分配された水およびフロックの混合物の流れを得ることができる。
【０１１３】
次いで、この混合物は、水中越流路１６およびサイフォン状仕切り１８によって画成された通路１８ａを通過し、沈降タンク１１内に到達する。
【０１１４】
沈降タンク１１では、バラストの周りに凝集した物質によって形成されたフロックが沈降し、沈降タンク１１の下壁に堆積し、スラッジおよびバラストの混合物を形成する。この沈降は、沈降タンク１１の上部に設けられた薄板１３によって改良される。
【０１１５】
回転掻き出し装置１２によって、このスラッジおよび砂の混合物を沈降タンク１１の通路１４内に導くことができる。
【０１１６】
不純物を含まない処理水は、沈降タンク１１の上部の排出口１５から排出されることになる。
【０１１７】
沈降タンク１１の通路１４内のスラッジおよびバラストの混合物は、パイプライン２１内に設けられたエンドレススクリュー２２によって、前記通路１４からパイプライン２１内に抽出されることになる。なお、このエンドレススクリューは、モータ２３によって作動するように構成されている。
【０１１８】
このスラッジおよびバラストの混合物は、ほぼ一定速度で、中間タンク１９内に送られる。タンク１９の基部がフロキュレーションタンク１よりも低いレベルに設けられ、これによって、パイプライン２１がタンク１の下方を通ることが可能であるという事実によって、この転送が助長されることになる。
【０１１９】
スラッジおよびバラストの混合物は、タンク１９内に設けられた攪拌手段２０によって混合される。タンク１９内において、（上方および下方を指す矢印によって示されているように）、スラッジおよびバラストの混合物は、上方に移動し、かつ下方に移動することになる。
【０１２０】
このスラッジおよびバラストの混合物は、ポンプ２８によって、中間タンク１９からパイプライン２５内に連続的に抽出され、前記混合物内に含まれているスラッジからバラストを分離するように構成された液体サイクロン２６に送られる。
【０１２１】
このバラストの分離は、パイプライン２５を介して、給水を液体サイクロン内に注入することによって改良される。この給水の注入によって、有機物を実質的に含まないバラストを前記液体サイクロン２６のアンダーフロー部２７内に得ることができる。液体サイクロンのアンダーフロー部２７内に回収されたバラストは、フロキュレーションタンク１内に再分配される。
【０１２２】
希釈されたスラッジによって占められる液体サイクロン２６のオーバフロー部２９は、パイプライン３０を介して、液体サイクロン２６の上に設けられたタンク３１に通じている。前記希釈されたスラッジは、前記タンク３１内に堆積される。前記希釈されたスラッジの一部が、前記タンク内に設けられたオーバフローパイプ３２に接続されたパイプライン３３を通して排出される一方、前記希釈されたスラッジの他の一部は、パイプライン３０を経由して中間タンク１９に再循環されることになる。しかしながら、この再循環は、センサ４３によって検出されたタンク１９内の混合物のレベルが所定値よりも低い場合にのみ行われる。この場合、パイプライン３０に設けられた弁３４が開き、タンク３１の内容物の一部をタンク１９内に排出し、前記タンク１９内の混合物のレベルが所定値に達したことについてセンサ４３が検出したとき、この弁３４が閉じられることになる。
【０１２３】
この機構によって、タンク１９内のバラスト濃度を実質的に一定に維持できる。
【０１２４】
センサ４１は、この濃度を連続的に測定し、その測定値を計算機４２に伝達し、この計算機４２が、プラント内に実際に存在するバラストの量を推測する。
【０１２５】
もしこの量が、所定の水品質を得るのに必要なバラストの量（バラスト濃度Ｙから上述したように計算された量）よりも低いかまたは過度に低い場合、言い換えれば、もしこの量が所定値未満に低下した場合、計算機４２は、前記必要な量を得るために追加的な量のバラストをプラントに自動的に補充するように、定量供給手段９に指令を送信する。
【０１２６】
第２の実施形態が、図５〜図７に示されている。
【０１２７】
図５に示されているプラントは、
−フロキュレーションタンク１が、流れ分配装置４ａを有する流れ案内チューブ３ａを備えていること、および
−第２の粒状材料（吸着特性またはイオン交換または分子交換特性を有する材料）のディスペンサー９ａをフロキュレーションタンク１内に備えていること
を除けば、図１に示されているプラントと完全に同じである。
【０１２８】
図６を参照すると、チューブ内に含まれる流れ分配装置は、攪拌器２から下方に２００ｍｍを超える距離だけ離れて配置されている。この流れ分配装置は、複数の交差部を形成するように連結された８枚の板５０によって構成され、チューブ３を出た流体が通る２５本の通路５１を画成している。
【０１２９】
図８および図９を参照すると、この流れ分配装置は、８枚以外の数、例えば、４枚（図８）または９枚（図９）の板によって構成されてもよい。
【０１３０】
板５０の高さと最大幅Ｂとの間の比率は、好ましくは、１．５〜２となっている。
【図１】
0005642968.tif 000002
【図２】
0005642968.tif 000003
【図３】
0005642968.tif 000004
【図４】
0005642968.tif 000005
【図５】
0005642968.tif 000006
【図６】
0005642968.tif 000007
【図７】
0005642968.tif 000008
【図８】
0005642968.tif 000009
【図９】
0005642968.tif 000010